(57)【要約】【課題】出金機能と回収機能とを有した回収カセットの表示機構が簡易で、かつコスト低減を図ることができる金銭処理装置を提供すること。【解決手段】装置本体２ａは、回収カセット２３に接する面に、紙幣出金口４２から紙幣を取り出すために紙幣出金口４２のシャッタ６１を開ける出金指示の案内表示発光を行う出金表示発光部２６ａと、回収庫５０に回収された紙幣を取り出すために装置本体２ａから回収カセット２３を取り外す回収指示の案内表示発光を行う回収表示発光部２６ｂとを有し、回収カセット２３は、外面に、出金指示を案内表示する出金表示部２４ａと、回収指示を案内表示する回収表示部２４ｂとが形成され、出金表示発光部２６ａが発した光を出金表示部２４ａまで導光する出金表示導光部２５ａと、回収表示発光部２６ｂが発した光を回収表示部２４ｂまで導光する回収表示導光部２５ｂとを備える。【選択図】図３
2019032724.tif 000002
【特許請求の範囲】
【請求項１】
金銭の出金口と金銭を回収する回収庫とが装置本体から取り外し可能な１つの回収カセットとして設けられた金銭処理装置であって、
前記装置本体は、前記回収カセットに接する面に、前記出金口から金銭を取り出すために前記出金口の自動扉を開ける出金指示の案内表示発光を行う出金表示発光部と、前記回収庫に回収された金銭を取り出すために前記装置本体から前記回収カセットを取り外す回収指示の案内表示発光を行う回収表示発光部とを有し、
前記回収カセットは、外面に、前記出金指示を案内表示する出金表示部と、前記回収指示を案内表示する回収表示部とが形成され、前記出金表示発光部が発した光を前記出金表示部まで導光する出金表示導光部と、前記回収表示発光部が発した光を前記回収表示部まで導光する回収表示導光部とを備えたことを特徴とする金銭処理装置。
【請求項２】
前記出金表示発光部と前記回収表示発光部との発光表示態様は異なることを特徴とする請求項１に記載の金銭処理装置。
【請求項３】
前記出金表示部と前記回収表示部とは１つの出金兼回収表示部であり、
前記出金表示発光部と前記回収表示発光部とは１つの出金兼回収表示発光部であり、
前記出金表示導光部と前記回収表示導光部とは１つの出金兼回収表示導光部であることを特徴とする請求項２に記載の金銭処理装置。
【請求項４】
前記出金表示部と前記回収表示部とは１つの出金兼回収表示部であり、
前記出金表示導光部と前記回収表示導光部とは、前記出金兼回収表示部までの間に合流点を有することを特徴とする請求項２に記載の金銭処理装置。
【請求項５】
前記出金兼回収表示発光部は、単色光を発光し、出金表示の案内表示発光と前記回収表示の案内表示発光との発光態様は時間的変化が異なることを特徴とする請求項３に記載の金銭処理装置。
【発明の詳細な説明】
【技術分野】
【０００１】
本発明は、金銭の出金口と金銭を回収する回収庫とが装置本体から取り外し可能な１つの回収カセットとして設けられた金銭処理装置に関し、特に回収カセットの表示機能に関する。
【背景技術】
【０００２】
自動釣銭機などの金銭処理装置では、入金口を介して入金部に投入された貨幣を所定の搬送路に搬送し、貨幣の真贋を鑑別する。そして、「真」として鑑別された貨幣は搬送路を介して収納庫に収納される。また、出金指示があった場合、対応する貨幣を、対応する収納庫から繰り出し、繰出された貨幣を出金部から出金するようにしている。
【０００３】
なお、特許文献１には、同じ硬貨出金口に払い出した硬貨が出金硬貨であれば緑色の光を発光し、リジェクト硬貨であれば赤色の光を発光する発光手段を設けた貨幣処理機が記載されている。また、特許文献２には、釣銭機に着脱可能であり、釣銭機から貨幣を回収するとともに、現金在高を特定可能な情報を記憶する記憶媒体を有する回収カセットが記載されている。
【先行技術文献】
【特許文献】
【０００４】
【特許文献１】特開２００９−５９３０６号公報
【特許文献２】特開２０１２−１８１５７６号公報
【発明の概要】
【発明が解決しようとする課題】
【０００５】
ところで、従来の紙幣処理装置では、装置本体に回収庫が設けられているのが一般的であり、この回収庫は、装置本体に対して着脱可能に設けられている。そして、回収指示があった場合、各収納庫に収納された紙幣を回収庫に搬送して該回収庫で紙幣を回収していた。この回収庫に回収された紙幣は、回収庫ごと装置本体から取り外して、所定の金庫等に保管される。
【０００６】
ここで、近年の紙幣処理装置では、装置全体の小型化の要請がある。このため、出金部を回収庫として兼用し、この回収庫として兼用された出金部を回収カセットとして着脱可能とし、装置全体の小型化を図るものがある。
【０００７】
この回収カセットは、出金口と回収庫との機能を有するため、出金指示の場合は回収カセットを取り外さずに出金させ、回収指示の場合は回収カセットを取り外す必要がある。このため、紙幣処理装置では、出金指示なのか回収指示なのかを表示させる機能を持たせる必要がある。
【０００８】
ここで、回収処理では、１つの紙幣処理装置に対して複数の回収カセットを準備しておく必要がある。そして、各回収カセットにおける出金指示や回収指示を行う表示部は、発光素子などの能動素子を持たせる必要がある。このため、各回収カセットの構成が複雑になるとともに、コストがかかってしまうという問題があった。
【０００９】
本発明は、上記に鑑みてなされたものであって、出金機能と回収機能とを有した回収カセットの表示機構が簡易で、かつコスト低減を図ることができる金銭処理装置を提供することを目的とする。
【課題を解決するための手段】
【００１０】
上述した課題を解決し、目的を達成するために、本発明にかかる金銭処理装置は、金銭の出金口と金銭を回収する回収庫とが装置本体から取り外し可能な１つの回収カセットとして設けられた金銭処理装置であって、前記装置本体は、前記回収カセットに接する面に、前記出金口から金銭を取り出すために前記出金口の自動扉を開ける出金指示の案内表示発光を行う出金表示発光部と、前記回収庫に回収された金銭を取り出すために前記装置本体から前記回収カセットを取り外す回収指示の案内表示発光を行う回収表示発光部とを有し、前記回収カセットは、外面に、前記出金指示を案内表示する出金表示部と、前記回収指示を案内表示する回収表示部とが形成され、前記出金表示発光部が発した光を前記出金表示部まで導光する出金表示導光部と、前記回収表示発光部が発した光を前記回収表示部まで導光する回収表示導光部とを備えたことを特徴とする。
【００１１】
また、本発明にかかる金銭処理装置は、上記の発明において、前記出金表示発光部と前記回収表示発光部との発光表示態様は異なることを特徴とする。
【００１２】
また、本発明にかかる金銭処理装置は、上記の発明において、前記出金表示部と前記回収表示部とは１つの出金兼回収表示部であり、前記出金表示発光部と前記回収表示発光部とは１つの出金兼回収表示発光部であり、前記出金表示導光部と前記回収表示導光部とは１つの出金兼回収表示導光部であることを特徴とする。
【００１３】
また、本発明にかかる金銭処理装置は、上記の発明において、前記出金表示部と前記回収表示部とは１つの出金兼回収表示部であり、前記出金表示導光部と前記回収表示導光部とは、前記出金兼回収表示部までの間に合流点を有することを特徴とする。
【００１４】
また、本発明にかかる金銭処理装置は、上記の発明において、前記出金兼回収表示発光部は、単色光を発光し、出金表示の案内表示発光と前記回収表示の案内表示発光との発光態様は時間的変化が異なることを特徴とする。
【発明の効果】
【００１５】
本発明によれば、装置本体側に出金表示発光部と回収表示発光部とを設け、出金表示発光部と回収表示発光部とが発光した光を、回収カセットの出金表示部と回収表示部とに導光する出金表示導光部と回収表示導光部とを回収カセット側に設けている。このため、各回収カセット側に、発光能動素子を設ける必要がないので、回収カセットの表示機構が簡易となり、回収カセットのコスト低減を図ることができる。
【図面の簡単な説明】
【００１６】
【図１】図１は、本発明の実施の形態である金銭処理装置の自動釣銭機の構成を示す斜視図である。
【図２】図２は、自動釣銭機の制御系の構成を示すブロック図である。
【図３】図３は、図１に示した紙幣処理装置の内部構成を概念的に示す側面図である。
【図４】図４は、回収カセット近傍の構成を示す斜視図である。
【図５】図５は、回収カセットの出金表示系及び回収表示系の構成を示す模式図である。
【図６】図６は、回収カセットの出金表示系及び回収表示系の他の構成を示す模式図である。
【図７】図７は、回収カセットの出金表示系及び回収表示系の他の構成を示す模式図である。
【図８】図８は、回収カセットの出金表示系及び回収表示系の他の構成を示す模式図である。
【図９】図９は、回収カセットが装置本体から取り外された状態を示す模式図である。
【発明を実施するための形態】
【００１７】
以下、添付図面を参照してこの発明を実施するための形態について説明する。
【００１８】
（金銭処理装置の構造）
図１は、本発明の実施の形態である金銭処理装置１０の自動釣銭機１０ａの構成を示す斜視図である。また、図２は、自動釣銭機１０ａの制御系の構成を示すブロック図である。ここで例示する金銭処理装置１０では、スーパーマーケットやコンビニエンスストア等の店舗においてＰＯＳレジスタ装置１０ｂに自動釣銭機１０ａが接続される。図１及び図２に示すように、自動釣銭機１０ａの上面は平坦面が形成され、この平坦面には上位装置であるＰＯＳレジスタ装置１０ｂが配置される。自動釣銭機１０ａは、硬貨の入出金を行う硬貨処理装置１と紙幣の入出金を行う紙幣処理装置２とを有する。硬貨処理装置１及び紙幣処理装置２は、直方体状を成す装置本体に覆われ、それぞれが隣接して配置される。
【００１９】
硬貨処理装置１は装置本体の前端上面の右側に硬貨入金口３１を備える。硬貨処理装置１の装置本体の前面左側には、硬貨出金口３２が形成され、硬貨出金口３２から排出された硬貨は受け皿３３で受け止められる。また、装置本体の前面右側には、硬貨返却口３４を備える。一方、紙幣処理装置２の装置本体２ａの前面上部には、取り外し可能な回収カセット２３が取り付けられる。
【００２０】
回収カセット２３の前面には、シャッタ付きの紙幣出金口４２が設けられる。また、回収カセット２３の前面には、紙幣出金口４２からの出金指示を案内表示する出金表示部２４ａと、回収カセット２３内に回収された紙幣の回収指示を案内表示する回収表示部２４ｂとを有した表示部２４を有する。さらに、回収カセット２３の前面には、解除用鍵によって操作される解除用錠４３が設けられる。例えば、解除用鍵を右回しすると、紙幣出金口４２のシャッタが開き、紙幣を取り出すことができ、解除用鍵を左回しすると、紙幣処理装置２に対する回収カセット２３のセットが解除されて回収カセット２３を取り出すことができる。紙幣処理装置２の装置本体２ａの前面下部には、紙幣入金口４１が設けられる。
【００２１】
硬貨処理装置１は前端上面の左側に表示部３及び操作入力部４を備える。表示部３及び操作入力部４は、紙幣処理装置２の表示部及び操作入力部でもある。制御部５及び記憶部６は、自動釣銭機１０ａ内に設けられる。
【００２２】
硬貨処理装置１は、各種センサ群１１及びアクチュエータ群１２を有する。また、紙幣処理装置２は、各種センサ群２１及びアクチュエータ群２２を有する。
【００２３】
制御部５は、入出金制御部５ａを有する。入出金制御部５ａは、ＰＯＳレジスタ装置１０ｂから入金許可指令が与えられた後に金銭が投入された場合に、入金許可指令に従って金銭の入金処理を行い、かつＰＯＳレジスタ装置１０ｂから出金指令が与えられた場合に、出金指令に従って金銭の出金処理を行うものである。また、入出金制御部５ａは、これらの入金処理及び出金処理を実行している間、実施した入金処理及び出金処理の内容を入出金情報として逐次、記憶部６に格納する処理も行う。
【００２４】
（紙幣処理装置の内部構成）
図３は、図１に示した紙幣処理装置２の内部構成を概念的に示す側面図である。図３に示すように、紙幣処理装置２では、紙幣入金口４１から入金された紙幣は、入金部４６で搬送路７０に繰り出される。搬送路７０に繰り出された紙幣は、紙幣鑑別センサ４４によって鑑別及び計数された後、金種に応じて紙幣収納庫５１内の千円紙幣収納庫５３、混合庫５４に収納される。千円紙幣収納庫５３には使用頻度の高い千円紙幣が収納される。混合庫５４には五千円紙幣及び１万円紙幣が混合して収納される。精査庫５２は、精査処理時の一時保留部として用いられる。精査処理とは、ＰＯＳレジスタ装置１０ｂあるいは操作入力部４を介して精査指示があった場合、千円紙幣収納庫５３及び混合庫５４に収納された紙幣を全て精査庫５２に繰り出し、千円紙幣収納庫５３及び混合庫５４内に収納された紙幣の金種及び枚数を計数し、その後、再び、精査庫５２内の紙幣を千円紙幣収納庫５３及び混合庫５４に収納する処理である。なお、千円紙幣収納庫５３と精査庫５２との間の搬送路７０上には、搬送される紙幣の金種及び通過を検出する画像センサとしてのセンサ４５が配置されている。
【００２５】
回収カセット２３は、紙幣処理装置２の装置本体２ａから取り外し可能である。回収カセット２３は、自動扉としてのシャッタ６１を有した紙幣出金口４２、紙幣収納庫５１から回収された紙幣を収納する回収庫５０、回収カセット２３を装置本体２ａにロックするロック機構６２、シャッタ６１の開及びロック機構６２のロック解除を行う解除用錠４３を有する。回収庫５０は、紙幣出金口４２までの出金部を回収庫として兼用している。
【００２６】
さらに、図３及び図４に示すように、回収カセット２３は、外面に、表示部２４が設けられる。表示部２４は、紙幣出金口４２からの出金指示を案内表示する出金表示部２４ａと、回収庫５０に回収された紙幣の回収指示を案内表示する回収表示部２４ｂとを有する。出金表示部２４ａは、出金表示発光部２６ａが発した光を出金表示部２４ａまで導光する出金表示導光部２５ａの外面側の先端部である。また、回収表示部２４ｂは、回収表示発光部２６ｂが発した光を回収表示部２４ｂまで導光する回収表示導光部２５ｂの外面側の先端部である。
【００２７】
出金表示発光部２６ａ及び回収表示発光部２６ｂは、回収カセット２３が装置本体２ａに接する面の装置本体２ａ側に設けられ、それぞれ出金表示導光部２５ａ及び回収表示導光部２５ｂの他端側に設けられる。出金表示発光部２６ａは、紙幣出金口４２から紙幣を取り出すために紙幣出金口４２のシャッタ６１を開けるよう、出金指示の案内表示発光を行う。また、回収表示発光部２６ｂは、回収庫５０に回収された紙幣を取り出すために装置本体２ａから回収カセット２３を取り外すよう、回収指示の案内表示発光を行う。
【００２８】
（出金処理）
ＰＯＳレジスタ装置１０ｂあるいは操作入力部４を介して出金指示があった場合、制御部５は、千円紙幣収納庫５３及び混合庫５４内の対応する紙幣を搬送路７０に繰り出し、さらに回収カセット２３内の搬送路７０上に紙幣を搬送し、回収庫５０に収納する。その後、制御部５は、出金表示発光部２６ａを発光する。例えば、図５に示すように、出金表示発光部２６ａは緑色光を発光し、この緑色光を出金表示導光部２５ａに導光して出金表示部２４ａから緑色光を表示する。この緑色光を認識した操作者は、解除用鍵を解除用錠４３に差し込んで、右回しすることによって、シャッタ６１を閉から開にする。これによって、管理者などの操作者は、出金部として機能する回収庫５０から出金される紙幣を取り出すことができる。
【００２９】
（回収処理）
ＰＯＳレジスタ装置１０ｂあるいは操作入力部４を介して回収指示があった場合、制御部５は、千円紙幣収納庫５３及び混合庫５４、さらには精査庫５２内に収納された全ての紙幣を搬送路７０に繰り出し、さらに回収カセット２３内の回収庫５０に搬送して回収する。その後、制御部５は、回収表示発光部２６ｂを発光する。例えば、図５に示すように、回収表示発光部２６ｂは赤色光を発光し、この赤色光を回収表示導光部２５ｂに導光して回収表示部２４ｂから赤色光を表示する。この赤色光を認識した操作者は、解除用鍵を解除用錠４３に差し込んで、左回しすることによって、ロック機構６２をロック解除する。これによって、管理者などの操作者は、紙幣が回収された回収庫５０を有する回収カセット２３を取り出すことができる。
【００３０】
なお、上述した実施の形態では、出金表示発光部２６ａが緑色光を発光し、回収表示発光部２６ｂが赤色光を発光するようにしていたが、出金表示発光部２６ａ及び回収表示発光部２６ｂの発光表示態様は、これに限らず、出金表示態様と回収表示態様とに違いがあればよい。例えば、さらに出金表示発光部２６ａの発光を点滅させ、回収表示発光部２６ｂの発光を点灯させるようにしてもよい。
【００３１】
さらに、出金表示導光部２５ａと回収表示導光部２５ｂとを別個設けず、図６に示すように、１つの出金兼回収表示導光部２５ｃとしてもよい。この出金兼回収表示導光部２５ｃは、合流点Ｐ１を持ち、２つの出金表示部２４ａ及び回収表示部２４ｂを、１つの出金兼回収表示部２４ｃとしている。
【００３２】
図５及び図６において、出金表示発光部２６ａ及び回収表示発光部２６ｂの発光色は異なるようにしてもよいが、同一色として、発光態様の違いは時間的変化を持たせるようにしてもよい。例えば、出金表示発光部２６ａ及び回収表示発光部２６ｂの発光色をいずれも赤色とし、出金表示発光部２６ａを点滅して出金指示の案内表示を行い、回収表示発光部２６ｂを点灯して回収指示の案内表示を行うようにしてもよい。
【００３３】
なお、図６では、出金兼回収表示導光部２５ｃが合流点Ｐ１を持つようにしていたが、図７に示すように、合流点Ｐ１を持たない出金兼回収表示導光部２５ｄとしてもよい。この場合、装置本体２ａ側の出金表示発光部２６ａ及び回収表示発光部２６ｂは隣接配置して、出金兼回収表示導光部２５ｄに対して出金表示発光部２６ａ及び回収表示発光部２６ｂの発光を導光できるようにする。
【００３４】
さらに、発光態様の違いを時間的変化のみにする場合、図８に示すように、出金表示発光部２６ａ及び回収表示発光部２６ｂを、１つの出金兼回収発光部２６ｃとし、１つの出金兼回収発光部２６ｃは、１つの出金兼回収表示導光部２５ｄを介して１つの出金兼回収表示部２４ｃに導光するようにしてもよい。
【００３５】
本実施の形態では、取り外された回収カセット２３は、その後、回収された紙幣をそのまま所定の金庫などに保管することができるので、セキュリティの向上を図ることができる。また、回収カセット２３は、回収庫５０が出金部として機能しているので、装置の小型化を図ることができる。
【００３６】
特に、本実施の形態では、図９に示すように、装置本体２ａから取り外された回収カセット２３には、出金表示発光部２６ａや回収表示発光部２６ｂなどの能動素子を設ける必要がなく、出金表示導光部２５ａや回収表示導光部２５ｂなどの受動素子のみを設ければよく、回収カセット２３の構造が簡易になるとともに、コスト低減を図ることができる。特に、回収カセット２３は、１つの装置本体２ａに対して複数設ける場合があり、この場合、出金表示発光部２６ａや回収表示発光部２６ｂなどの能動素子は１つの装置本体２ａに設けるのみでよいため、コスト低減効果は大きい。
【００３７】
また、本実施の形態では、紙幣出金口４２を有する回収カセット２３側に出金表示発光部２６ａや回収表示発光部２６ｂを設け、紙幣出金口４２と出金表示発光部２６ａや回収表示発光部２６ｂとが離隔せず、近接しているので、出金指示や回収指示を容易に認識することができる。
【００３８】
なお、上述した実施の形態では、解除用鍵と解除用錠４３を用いて、シャッタ６１の開及びロック機構６２のロック解除を行っていたが、これに限らず、例えばＰＯＳレジスタ装置１０ｂあるいは操作入力部４を介した管理者用の指示入力によって、シャッタ６１の開及びロック機構６２のロック解除を行うようにしてもよい。
【００３９】
また、上述した実施の形態では、紙幣処理装置２に対する回収カセット２３の構成について述べたが、これに限らず、硬貨処理装置１において硬貨を回収する回収カセットについても同様に適用することができる。
【符号の説明】
【００４０】
１  硬貨処理装置
２  紙幣処理装置
２ａ  装置本体
３，２４  表示部
４  操作入力部
５  制御部
５ａ  入出金制御部
６  記憶部
１０  金銭処理装置
１０ａ  自動釣銭機
１０ｂ  ＰＯＳレジスタ装置
１１，２１  各種センサ群
１２，２２  アクチュエータ群
２３  回収カセット
２４ａ  出金表示部
２４ｂ  回収表示部
２４ｃ  出金兼回収表示部
２５ａ  出金表示導光部
２５ｂ  回収表示導光部
２５ｃ，２５ｄ  出金兼回収表示導光部
２６ａ  出金表示発光部
２６ｂ  回収表示発光部
２６ｃ  出金兼回収発光部
３１  硬貨入金口
３２  硬貨出金口
３３  受け皿
３４  硬貨返却口
４１  紙幣入金口
４２  紙幣出金口
４３  解除用錠
４４  紙幣鑑別センサ
４５  センサ
４６  入金部
５０  回収庫
５１  紙幣収納庫
５２  精査庫
５３  千円紙幣収納庫
５４  混合庫
６１  シャッタ
６２  ロック機構
７０  搬送路
Ｐ１  合流点
【図１】
2019032724.tif 000003
【図２】
2019032724.tif 000004
【図３】
2019032724.tif 000005
【図４】
2019032724.tif 000006
【図５】
2019032724.tif 000007
【図６】
2019032724.tif 000008
【図７】
2019032724.tif 000009
【図８】
2019032724.tif 000010
【図９】
2019032724.tif 000011